(57)【要約】      （修正有）【課題】平時は小型の舟の通行を可能にし、津波等の異常増水には電力その他の動力源を使用せずに自動的に河川等を閉鎖する水門を提供する。【解決手段】水門の外枠の主柱５に上部軸受１６を取付けて、この軸受により開き扉８の主軸１５を吊下げる。津波等が押寄せた時、扉固定装置の浮体が浮上がり、そして浮体支持棒も浮上がり、これに取付けた突起が扉の固定用掛金より離脱することにより、扉の拘束が解かれるので上記の回転力が復活し、又扉に津波の力も加わって、扉８は自動的に閉鎖の方向に回転し、その扉の先端腕１３は副柱６の戸当り７に当って停止する、この作動により引上げ用シリンダー１１のピストン下の油を逃して、ピストンと共に扉の下端部を河底３の敷居４の上まで降下させて閉鎖する水門の構造。【選択図】図５
2017053199.tif 000002
【特許請求の範囲】
【請求項１】
片開きの扉，及び両開きの扉の水門の構造において、水門の外枠の主柱（５）に上部軸受（１６）を取付けて、この軸受により開き扉（８）の主軸（１５）を吊下げ、そして下部軸受（２２）により垂直に保持する、そして扉の下端部（１０）を扉本体より分離して本体に沿うて昇降できるよう取付け、扉が開かれている位置にあるときは、その下端部は河底より数十糎の高さに保持されるよう引上げ用シリンダー（１１）により引上げておく、主軸の上部軸受を蔓巻ボールねじ（１７）の構造にすることにより、重い扉はその自重によりねじ面に沿うて下降しながら閉じる方向に向って回転しようとする、この回転力を扉固定装置（２４）の浮体支持棒（２６）に取付けた突起（２７）と、扉の固定用掛金（２３）との噛合せによって押留めておき、津波等が押寄せた時、扉固定装置の浮体（２５）が浮上がり、そして浮体支持棒（２６）も浮上がり、これに取付けた突起（２７）が扉の固定用掛金より離脱することにより、扉の拘束が解かれるので上記の回転力が復活し、又扉に津波の力も加わって、扉は自動的に閉鎖の方向に回転し、その扉の先端腕（１３）は副柱（６）の戸当り（７）に当って停止する、この作動により戸当り近くに取付けられているストップ弁（１４）を押し開き、引上げ用シリンダー（１１）のピストン（１２）下の油を逃して、ピストンと共に扉の下端部を河底（３）の敷居（４）の上まで降下させて閉鎖し、津波等による増水を自動的に防御する開き扉の水門の構造
【発明の詳細な説明】
【技術分野】
【０００１】  津波等による増水を自動的に防御する開き扉の水門の構造。
【背景技術】
【０００２】  低い堤防により護られた河川に津波等による増水が押寄せたとき、これを防ぐため新たに津波対策用の高い防潮堤が必要となる、そしてここには平時には船の通行を許し、増水時には即時に閉鎖できる水門の併設が必要である。
【発明の開示】
【発明が解決しようとする課題】
【０００３】  平時は小型の船の通行を可能にし、津波等の異常増水には電力その他の動力源を使用せずに、この増水により自動的に遅滞なく河川等を閉鎖する水門を開発しようとする。
【課題を解決するための手段】
【０００４】  本発明は片開きの扉，及び両開きの扉の水門の構造において、水門の外枠の主柱５に上部軸受１６を取付けて、この軸受により開き扉８の主軸１５を吊下げ、そして下部軸受２２により垂直に保持する、そして扉の下端部１０を扉本体より分離して本体に沿うて昇降できるよう取付け、扉が開かれている位置にあるときは、その下端部は河底より数十糎の高さに保持されるよう引上げ用シリンダー１１により引上げておく。【０００５】  主軸の上部軸受を蔓巻ボールねじ１７の構造にすることにより、重い扉はその自重によりねじ面に沿うて下降しながら閉じる方向に向って回転しようとする。【０００６】  上記の回転力を扉固定装置２４の浮体支持棒２６に取付けた突起２７と、扉の固定用掛金２３との噛合せによって押留めておき、津波等が押寄せた時、扉固定装置の浮体２５が浮上がり、そして浮体支持棒２６も浮上がり、これに取付けた突起２７が扉の固定用掛金より離脱することにより、扉の拘束が解かれるので上記の回転力が復活し、又扉に津波の力も加わって、扉は自動的に閉鎖の方向に回転し、その扉の先端腕１３は副柱６の戸当り７に当って停止する、この作動により戸当り近くに取付けられているストップ弁（１４）を押し開き、引上げ用シリンダー１１のピストン１２下の油を逃して、ピストンと共に扉の下端部を河底３の敷居４の上まで降下させ水門を閉鎖する。
【発明の効果】
【０００７】  本発明の開き扉の水門によって津波等による河川の増水を自動的に、遅滞なく閉鎖することが可能になる、猶河川に多少の土砂が堆積しているときも閉鎖可能である、又堤防下の車両通用門に設置し、津波の増水を自動的に防ぐことが可能である。
【図面の簡単な説明】
【０００８】
【図１】本発明の実施形態の一例として、水門の開扉時の平面図
【図２】水門の開扉時の正面図
【図３】水門の開扉時の側面図
【図４】水門の閉扉時の平面図
【図５】図４のＡ−Ａ断面図
【図６】本発明の実施形態の一例として、水門の上部軸受を蔓巻ボールねじの構造にした場合の、開き扉の開扉時の主軸の断面拡大図
【図７】同上開き扉の閉扉時の主軸の断面拡大図
【図８】同上開き扉の閉扉中に主軸を油圧ジャッキで突上げた時の断面拡大図
【図９】同上油圧ジャッキで突上中に開き扉を開扉した時の断面拡大図
【発明を実施するための形態】
【０００９】  本発明は片開きの扉，及び両開きの扉の水門の構造において、水門の外枠の主柱５に上部軸受１６を取付けて、この軸受により開き扉８の主軸１５を吊下げ、そして下部軸受２２により垂直に保持する、そして扉の下端部１０を扉本体より分離して本体に沿うて昇降できるよう取付け、扉が開かれている位置にあるときは、その下端部は河底より数十糎の高さに保持されるよう引上げようシリンダー１１により引上げておく、これによって河底の土砂に邪魔されずに扉を閉める位置まで回転させることが可能となる。
【００１０】  主軸の上部軸受を蔓巻ボールねじ１７の構造にすることにより、重い扉はその自重によりねじ面に沿うて下降しながら閉じる方向に向って回転しようとする。
【００１１】  上記の回転力を扉固定装置２４の浮体支持棒２６に取付けた突起２７と、扉の固定用掛金２３との噛合せによって押留めておき、津波等が押寄せた時、扉固定装置の浮体２５が浮上がり、そして浮体支持棒２６も浮上がり、これに取付けた突起２７が扉の固定用掛金より離脱することにより、扉の拘束が解かれるので上記の回転力が復活し、又扉に津波の力も加わって、扉は自動的に閉鎖の方向に回転し、その扉の先端腕１３は副柱６の戸当り７に当って停止する、この作動により戸当り近くに取付けられているストップ弁（１４）を押し開き、引上げ用シリンダー１１のピストン１２下の油を逃して、ピストンと共に扉の下端部を河底３の敷居４の上まで降下させ水門を閉鎖する。
【００１２】  最初、扉が開かれているときは、扉の主軸１５は図６のように蔓巻ボールねじで引上げられた位置にあって、扉が自重により９０度回転して閉じられると、図７のように主軸は少し降下している、次に主軸と扉を図８のように油圧ジャッキ２１により最初の位置まで押上げると、蔓巻ボールねじの外輪は浮上がった状態となり、そして扉を開く位置まで９０度回転を戻すと、外輪は降下して図９の状態になる。
【００１３】  扉及び主軸は油圧ジャッキ２１の先端に支えられた状態で、開く位置まで戻すために軽い力で戻すことが出来る、そして油圧ジャッキを引下げると主軸は図６の状態に戻る。
【符号の説明】
【００１４】  １・・・防潮堤                            ２・・・河面
３・・・河底                              ４・・・水門の敷居
５・・・水門の主柱                        ６・・・水門の副柱
７・・・副柱の戸当り                      ８・・・開き扉
９・・・扉本体                          １０・・・扉の下端部
１１・・・引上げ用シリンダー              １２・・・引上げ用シリンダーのピストン
１３・・・扉の先端腕                      １４・・・ストップ弁
１５・・・扉の主軸                        １６・・・主軸の上部軸受
１７・・・蔓巻ボールねじ                  １８・・・蔓巻ボールねじの外輪
１９・・・蔓巻ボールねじの内輪            ２０・・・主軸底面のセンター孔
２１・・・油圧ジャッキ                    ２２・・・主軸の下部軸受
２３・・・扉の固定用掛金                  ２４・・・扉の固定装置
２５・・・扉固定装置の浮体                ２６・・・浮体支持棒
２７・・・浮体支持棒の突起                ２８・・・浮体支持棒の支点
２９・・・舟
【図１】
2017053199.tif 000003
【図２】
2017053199.tif 000004
【図３】
2017053199.tif 000005
【図４】
2017053199.tif 000006
【図５】
2017053199.tif 000007
【図６】
2017053199.tif 000008
【図７】
2017053199.tif 000009
【図８】
2017053199.tif 000010
【図９】
2017053199.tif 000011